【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
電流を少なくとも１つの電子装置へ流し、かつ、前記電流中の電圧スパイクを吸収することによって、前記少なくとも１つの電子装置を前記電圧スパイクから保護するために形成されたサージ・サプレッサを改善する方法において、
前記サージ・サプレッサは複数の電気要素を含み、
前記改善は、複数の酸化金属バリスタ（ＭＯＶ）が隣接する電気要素に近接した電位になるように、前記電気要素のレイアウトを変更する段階を含むことを特徴とする方法。
【請求項２】
前記電気要素のレイアウトを変更する前記段階は、少なくとも４つのＭＯＶを、平行に、相互に隣接して、それらの間に他の電気要素が無いように配置する段階を含み、
前記電気要素のレイアウトを変更する前記段階は、ＭＯＶの隣接する側面が近接した電位になるように、前記少なくとも４つのＭＯＶを交互の極性で配置する段階を含み、
前記電気要素のレイアウトを変更する前記段階は、少なくとも１つのサーマル・カットオフを前記少なくとも４つのＭＯＶに近接して配置することにより、前記少なくとも４つのＭＯＶから前記サーマル・カットオフへの迅速かつ効率的な伝熱を促進する段階を含む、
ことを特徴とする請求項１記載の方法。
【請求項３】
前記ＭＯＶは長方形でありかつ縦軸を有し、
前記隣接する電気要素は、縦軸を有する少なくとも１つのサーマル・カットオフを含み、
前記電気要素のレイアウトを変更する前記段階は、少なくとも２つのＭＯＶが相互に平行に配列され、前記サーマル・カットオフが前記少なくとも２つのＭＯＶの間に位置し、かつ、前記サーマル・カットオフの前記縦軸が前記少なくとも２つのＭＯＶのそれぞれの前記縦軸に平行であるように、少なくとも前記ＭＯＶおよび前記サーマル・カットオフを配置する段階を含む、
ことを特徴とする請求項１記載の方法。
【請求項４】
各ＭＯＶは第１側面および第２側面を有し、
少なくとも複数のＭＯＶは、前記第１側面がサーマル・カットオフに隣接するように配置され、
前記変更する段階は、サーマル・カットオフに隣接する各ＭＯＶの前記第１側面が、通常、前記隣接するサーマル・カットオフとほぼ同じ電位になるように、少なくとも１つのＭＯＶの位置を再度変える段階を含む、
ことを特徴とする請求項１または３記載の方法。
【請求項５】
各サーマル・カットオフの外面が、前記サーマル・カットオフの保護側面に電気的に接続されるように、少なくとも１つのサーマル・カットオフの前記位置を変更する段階をさらに含むことを特徴とする請求項１〜４のいずれかに記載の方法。
【請求項６】
複数のサーマル・カットオフを含む電気要素を有する電子装置であって、
前記電子装置は、第１電流ダイバータおよび第２電流ダイバータを含み、
前記第１電流ダイバータおよび前記第２電流ダイバータのそれぞれは、第１側面および第２側面を有し、
前記第１電流ダイバータおよび前記第２電流ダイバータのそれぞれは、前記第１側面が少なくとも１つのサーマル・カットオフに隣接するように配置され、
前記第１および第２電流ダイバータのそれぞれの前記第１側面は、通常、前記隣接する少なくとも１つのサーマル・カットオフとほぼ同じ電位である、
ことを特徴とする電子装置。
【請求項７】
少なくとも第１導体および第２導体を有する入力と、
電流を流すために形成された出力と、
外部カバーと、
少なくとも１つのサーマル・カットオフと、
前記第１導体と前記第２導体との間に結線された少なくとも１つの第１電流ダイバータと、
から構成され、
前記サーマル・カットオフは、前記第１電流ダイバータに隣接し、
前記改良は、少なくとも１つの電気要素と第１電流ダイバータとの間、前記少なくとも１つの電気要素と前記サーマル・カットオフとの間、または、前記少なくとも１つの電気要素と前記電流ダイバータおよび前記サーマル・カットオフの両方との間に提供された電気的な絶縁特性を有する多孔性の耐火性布で形成された少なくとも１つの層を含む、
ことを特徴とする電子装置。
【請求項８】
前記層は管状であることを特徴とする請求項７記載の電子装置。
【請求項９】
前記層は折り曲げられることを特徴とする請求項７または８記載の電子装置。
【請求項１０】
各サーマル・カットオフは、金属外面、保護側面、および非保護側を有し、各サーマル・カットオフの前記外面は、前記同一のサーマル・カットオフの前記保護側面に電気的に接続されることを特徴とする請求項６〜９のいずれかに記載の電子装置。
【請求項１１】
前記電子装置は、少なくとも第１導体および第２導体を有する入力、電流を流すために形成された出力、外部カバー、および、前記第１導体および前記第２導体の間に結線された少なくとも１つの電流ダイバータを含むサージ・サプレッサであり、
前記入力は、前記第１導体および前記第２導体と電気的に接続されたラインイン・プラグを含み、前記第１導体は電力線に接続するために形成され、前記第２導体は中性線に接続するために形成され、
前記出力は、複数の出力レセプタクルを含み、少なくとも１つのサーマル・カットオフは、前記少なくとも１つのサーマル・カットオフがオープンしたときに、前記出力レセプタクルへの電流が遮断されるように結線され、
前記サージ・サプレッサは、電流を前記入力から前記出力および前記出力と電気的に接続された少なくとも１つの電子装置へ流し、かつ、電流中の電圧スパイクを吸収し、それによって少なくとも１つの電子装置を前記電圧スパイクから保護するために形成される、
ことを特徴とする請求項６〜１０のいずれかに記載の電子装置。
【請求項１２】
少なくとも１つのサーマル・カットオフ、少なくとも第１ＭＯＶおよび第２ＭＯＶを含むサージ・サプレッサであって、
前記サーマル・カットオフは、前記第１ＭＯＶと前記第２ＭＯＶとの中間またはこれらに隣接して配置され、
前記第１ＭＯＶおよび前記第２ＭＯＶは、それぞれ第１側面および第２側面を有し、
前記第１側面は、通常、サーマル・カットオフとほぼ同じ電位であり、
少なくとも前記サーマル・カットオフ、前記第１ＭＯＶ、および前記第２ＭＯＶは、前記第１ＭＯＶの前記第１側面および前記第２ＭＯＶの前記第１側面が、前記サーマル・カットオフに隣接するように配列される、
ことを特徴とするサージ・サプレッサ。
【請求項１３】
少なくとも１つのサーマル・カットオフと、
少なくとも第１ＭＯＶおよび第２ＭＯＶと、
から構成されるサージ・サプレッサであって、
前記第１のＭＯＶおよび前記第２のＭＯＶは、両方とも平坦であり、それぞれが第１側面および反対側に第２側面を有し、
前記第１ＭＯＶの前記第１側面および前記第２ＭＯＶの前記第１側は、両方とも前記サーマル・カットオフに電気的に接続され、
少なくとも前記サーマル・カットオフ、前記第１ＭＯＶおよび前記第２ＭＯＶは、前記第１ＭＯＶの前記第１側面および前記第２ＭＯＶの前記第１側面が、両方とも前記サーマル・カットオフに隣接し、かつ対面するように、前記サージ・サプレッサ内に配置かつ配列される、
ことを特徴とするサージ・サプレッサ。
【請求項１４】
少なくとも１つの電子装置に渡すために電流を流し、かつ、前記電流内の電圧スパイクを吸収することよって、前記少なくとも１つの電子装置を前記電圧スパイクから保護するために形成されたサージ・サプレッサであって、
前記サージ・サプレッサは、少なくとも１つのＭＯＶを含み、
前記改良は、前記ＭＯＶと前記サージ・サプレッサ内の少なくとも１つの他の電気要素と間に、繊維ガラス布から形成された少なくとも１つの多孔質層を含み、
前記繊維ガラス布の多孔質層は、前記ＭＯＶが過熱した場合に、前記ＭＯＶと前記少なくとも１つの他の電気要素との間の電気的接触を防止するために配置されかつ形成される、
ことを特徴とするサージ・サプレッサ。
【請求項１５】
サーマル・カットオフを含み、
各サーマル・カットオフは、少なくとも第１ＭＯＶおよび第２ＭＯＶを有するブロック内に配列され、
各ブロック内で、前記ブロック内の前記サーマル・カットオフは、前記ブロック内の前記第１ＭＯＶと前記ブロック内の前記第２ＭＯＶとの間に位置し、
各ブロック内で、前記ブロック内の前記第１ＭＯＶおよび前記ブロック内の前記第２ＭＯＶのそれぞれは、第１側面および第２側面を有し、前記第１側面は、前記ブロック内の前記サーマル・カットオフに電気的に接続され、
各ブロック内で、前記ブロック内の前記サーマル・カットオフ、前記ブロック内の前記第１ＭＯＶ、および前記ブロック内の前記第２ＭＯＶは、前記ブロック内の前記第１ＭＯＶの前記第１側面および前記ブロック内の前記第２ＭＯＶの前記第１側面が、前記ブロック内のサーマル・カットオフに隣接かつ対面するように、前記ブロック内に配列される、
ことを特徴とする請求項１２〜１４のいずれかに記載のサージ・サプレッサ。
【請求項１６】
前記サージ・サプレッサ内で、第１ブロックおよび第２ブロックは、前記第１ブロックが前記第２ブロックに隣接するように配列され、
前記第１ブロック内のＭＯＶの第２側面は、前記第２ブロック内のＭＯＶの第２側面に隣接かつ対面する、
ことを特徴とする請求項１５記載のサージ・サプレッサ。